(57)【要約】【課題】遊技盤の交換により電源中継装置も交換できるようにする。【解決手段】パチンコ機の種類が異なっても共用される電源装置１と、パチンコ機の種類が異なると異なる構成となる複数の電気的機能部品５０と、パチンコ機の種類が異なると交換される電源中継装置１０とが互いに別々に構成され、電源装置１が島側電源部２８から受電した交流電源を複数の電気的機能部品５０で使用する直流電源に変換して電源中継装置１０に出力し、電源中継装置１０が電源装置１から出力された直流電源を複数の電気的機能部品５０のそれぞれに給電する構成であって、電源中継装置１０が本体枠に交換可能に取付けられる遊技盤に設けられている。【選択図】図１
2006006971.tif 000002
【特許請求の範囲】
【請求項１】
パチンコ機の種類が異なっても共用される電源装置と、パチンコ機の種類が異なると異なる構成となる複数の電気的機能部品と、パチンコ機の種類が異なると交換される電源中継装置とが互いに別々に構成され、電源装置が島側電源部から受電した交流電源を複数の電気的機能部品で使用する直流電源に変換して電源中継装置に出力し、電源中継装置が電源装置から出力された直流電源を複数の電気的機能部品のそれぞれに対して給電する構成であって、電源中継装置が本体枠に交換可能に取付けられる遊技盤に設けられたことを特徴とするパチンコ機の電力供給装置。
【発明の詳細な説明】
【技術分野】
【０００１】
本発明は、島側電源部からパチンコ機の電気的機能部品に電力を供給する装置に関する。
【背景技術】
【０００２】
特開平６−４７１５６号公報で開示された電力供給装置は、パチンコ店における島トランスと呼ばれる島側電源部から受電したＡＣ２４ボルトのような交流電源を直流電源に変換する機能を有する電源装置が役物制御装置や球発射制御装置等の複数の制御装置とは別に配置され、この単独の電源装置から各制御装置に対し必要な直流の動作電源を供給するものである。
【特許文献１】特開平６−４７１５６号公報
【発明の開示】
【発明が解決しようとする課題】
【０００３】
しかし、前記従来の電力供給装置では、電源装置から各制御装置に直接的に配電する構成であり、プリペードカードで球貸を行うことが可能なパチンコ機、プリペードでの球貸機能を持たないパチンコ機、第１種パチンコ機、第２種パチンコ機、第３種パチンコ機というように、パチンコ機の種類が異なる毎に専用の電源装置を用いているため、コストダウンを図るにも限度がある。
【課題を解決するための手段】
【０００４】
本発明に係るパチンコ機の電力供給装置は、パチンコ機の種類が異なっても共用される電源装置と、パチンコ機の種類が異なると異なる構成となる複数の電気的機能部品と、パチンコ機の種類が異なると交換される電源中継装置とが互いに別々に構成され、電源装置が島側電源部から受電した交流電源を複数の電気的機能部品で使用する直流電源に変換して電源中継装置に出力し、電源中継装置が電源装置から出力された直流電源を複数の電気的機能部品のそれぞれに対して給電する構成であって、電源中継装置が本体枠に交換可能に取付けられる遊技盤に設けられたことを最も主要な特徴とする。
【発明の効果】
【０００５】
本発明に係るパチンコ機の電力供給装置は、パチンコ機の種類が異なった場合、電源中継装置を交換し、電源装置を共用するものにおいて、電源中継装置が遊技盤に配置されているので、遊技盤の入替えの際、古い遊技盤に代えて新しい遊技盤を本体枠に組付けるだけで、電源中継装置が交換され、本体枠はそのまま使用できるという利点がある。
【発明を実施するための最良の形態】
【０００６】
図１〜図２は本発明の第１実施形態であって、図１は全体的な構成ブロックの概略を示し、図２はパチンコ機の裏面を示す。第１実施の形態は、プリペードカードで球貸を行うことが可能なパチンコ機とプリペードでの球貸機能を持たないパチンコ機とにおける電源装置１の共用化である。
【０００７】
図１を参照し、電力供給装置の全体構成について説明する。電源装置１はパチンコ機に搭載されて島側電源部２８から受電する部品である。電源装置１では電源入力部２、スイッチ接続部３、スイッチ部４、交直変換部５及び電源出力部６が図示しない回路基板に実装される。電源入力部２は複数のＡＣ２４ボルト（ＡＣ２４Ｖ）のような交流端子部２ａ；２ｂ、フレームグランド（ＦＧ）端子部２ｃ、アース（ＧＮＤ）端子部２ｄを有する。スイッチ接続部３は複数のスイッチ端子部３ａ；３ｂを有する。スイッチ部４や交直変換部５はリレー、トランス、コイル、トランジスタ、ダイオード、コンデンサ、フィルタ、抵抗器、サージアブソーバ、ヒューズのような多数の電気部品の組合せにより形成される。第１実施形態では図示を省略したが、上記回路基板における電源入力部２とスイッチ部４との間の経路に過電流保護や１００ボルト検出のための回路を有し、当該回路に接続されたアラーム内部表示やリレー制御並びにスイッチ入力のための回路を有する。又、交直変換部５はノイズ除去、全波整流、力率改善、平滑、過電流検出、１２ボルト電源、過電圧検出、電源表示等のための回路により形成される。
【０００８】
電源出力部６はＤＣ１２ボルト（ＤＣ１２Ｖ）のような直流端子部６ａ、アース（ＧＮＤ）端子部６ｂ、フレームグランド（ＦＧ）端子部６ｃ、ＤＣ２４ボルト（ＤＣ２４Ｖ）のような粗整流端子部６ｄ、複数のＡＣ２４ボルト（ＡＣ２４Ｖ）のような交流端子部６ｅ；６ｆを有する。電源入力部２やスイッチ接続部３及び電源出力部６は、例えば、上記各端子部６ａ〜６ｆのそれぞれに対応する端子数を備えたコネクタで形成される。直流端子部６ａには交直変換部５におけるノイズ除去、全波整流、力率改善、平滑、過電流検出、１２ボルト電源、過電圧検出後の定電圧直流電源経路が配線され、アース端子部６ｂには定電圧直流電源経路に対応するグランド及びフレームグランド経路が配線され、フレームグランド端子部６ｃには粗整流直流電源経路に対応するグランド及びフレームグランド経路が配線される。上記双方のフレームグランド経路にはサージアブソーバ、コンデンサ、抵抗器等の何れかが設けられる。粗整流端子部６ｄにはノイズ除去と全波整流後の脈流を含む粗整流直流電源経路がヒューズのような過電流保護素子を介して配線される。交流端子部６ｅ；６ｆにはスイッチ部４と交直変換部５との間の経路より分岐された交流２４ボルト電源経路が配線される。交流端子部６ｅ；６ｆにはサージアブソーバ、コンデンサ、抵抗器の何れか等を備えたフレームグランド経路が分岐配線される。
【０００９】
電源中継装置１０は、パチンコ機に搭載されて電源装置１からパチンコ機に搭載された電気的機能部品５０に給電する部品であって、カード機対応用電源中継装置１１とノーマル機対応用電源中継装置１７とに分別される。カード機対応用電源中継装置１１では中継入力部１２、パチンコ機側中継出力部１３、カードユニット側中継出力部１４、中継表示部１５が図示しない回路基板に実装される。中継入力部１２はＤＣ１２ボルトのような直流端子部１２ａ、複数のアース端子部１２ｂ；１２ｃ、ＤＣ２４ボルトのような粗整流端子部１２ｄ、複数のＡＣ２４ボルトのような交流端子部１２ｅ；１２ｆを有する。パチンコ機側中継出力部１３はＤＣ１２ボルトのような直流端子部１３ａ、複数のアース端子部１３ｂ；１３ｃ、ＤＣ２４ボルトのような粗整流端子部１３ｄを有する。カードユニット側中継出力部１４は複数のＡＣ２４ボルトのような交流端子部１４ａ；１４ｂを有する。そして、直流端子部１２ａと直流端子部１３ａとが互いに回路基板のパターン配線で接続され、アース端子部１２ｂとアース端子部１３ｂとが互いに回路基板のパターン配線で接続され、アース端子部１２ｃとアース端子部１３ｃとが互いに回路基板のパターン配線で接続され、粗整流端子部１２ｄと粗整流端子部１３ｄとが互いに回路基板のパターン配線で接続され、交流端子部１２ｅと交流端子部１４ａとが互いに回路基板のパターン配線で接続され、交流端子部１２ｆと交流端子部１４ｂとが互いに回路基板のパターン配線で接続される。中継表示部１５は発光ダイオード１５ａ；１５ｂがそれぞれの極性を逆に向けて並列に接続された形態であって、交流端子部１２ｅ；１４ａの接続経路と交流端子部１２ｆ；１４ｂの接続経路とに抵抗器１６を介して回路基板のパターン配線で接続される。中継入力部１２とパチンコ機側中継出力部１３及びカードユニット側中継出力部１４は、上記端子部１２ａ〜１２ｆ；１３ａ〜１３ｄ；１４ａ〜１４ｂのそれぞれに対応する端子数を備えたコネクタで形成される。
【００１０】
ノーマル機対応用電源中継装置１７は中継入力部１８、パチンコ機側中継出力部１９、中継表示部２０を有する。中継入力部１８はＤＣ１２ボルトのような直流端子部１８ａ、複数のアース端子部１８ｂ；１８ｃ、ＤＣ２４ボルトのような粗整流端子部１８ｄ、複数のＡＣ２４ボルトのような交流端子部１８ｅ；１８ｆを有し、前記中継入力部１２と同一形態であり、同じ符号を付すべきところであるが、異なる符号を付して中継入力部１２と区別した。パチンコ機側中継出力部１９はＤＣ１２ボルトのような直流端子部１９ａ、複数のアース端子部１９ｂ；１９ｃ、ＤＣ２４ボルトのような粗整流端子部１９ｄを有し、前記パチンコ機側中継出力部１３と同一形態であり、同じ符号を付すべきところであるが、異なる符号を付してパチンコ機側中継出力部１３と区別した。そして、直流端子部１８ａと直流端子部１９ａとが互いに回路基板のパターン配線で接続され、アース端子部１８ｂとアース端子部１９ｂとが互いに回路基板のパターン配線で接続され、アース端子部１８ｃとアース端子部１９ｃとが互いに回路基板のパターン配線で接続され、粗整流端子部１８ｄと粗整流端子部１９ｄとが互いに回路基板のパターン配線で接続される。中継表示部２０は発光ダイオード２０ａ；２０ｂがそれぞれの極性を逆に向けて並列に接続された形態であって、交流端子部１８ｅと交流端子部１８ｆとに抵抗器２１を介して回路基板のパターン配線で接続される。中継入力部１８及びパチンコ機側中継出力部１９は例えば上記端子部１８ａ〜１８ｆ；１９ａ〜１９ｄのそれぞれに対応する端子数を備えたコネクタで形成される。要するに、第１実施形態の場合、カード機対応用電源中継装置１１がカードユニット側中継出力部１４を有した形態であるのに対し、ノーマル機対応用電源中継装置１７がそれを持たない形態である。
【００１１】
電源配線２５は電源入力部２に接続される２本の線を備える。電源配線２５の先端には電源プラグ２６が固定され、電源配線２５の後端には電源入力部２に接続される端子部２７が固定される。端子部２７は電源入力部２の各端子部２ａ〜２ｄに個別に接続される端子数を有するコネクタで形成される。そして、電源プラグ２６が島側トランスのような島側電源部２８の出力側に嵌合され、端子部２７が電源入力部２に嵌合されることにより、電源配線２５が島側電源部２８と電源装置１とを接続してＡＣ２４ボルトのような交流を島側電源部２８より電源装置１に給電する。
【００１２】
スイッチ装置３０は電源装置１を電源装置１の外部よりオン・オフ動作するための外部操作部品であって、人為操作によるオン位置又はオフ位置の２位置を保持する機能を有するスイッチ３１、結線部３２が図示しない回路基板に実装される。結線部３２はスイッチ３１の複数の端子に個別に回路基板のパターン配線で接続された複数の端子部３１ａ；３１ｂを有し、例えば端子部３１ａ；３１ｂのそれぞれに対応する端子数を備えたコネクタで形成される。スイッチ配線３４はスイッチ接続部３と結線部３２とに接続される２本の線を備える。スイッチ配線３４の一端にはスイッチ接続部３に接続される端子部３５が固定され、スイッチ配線３４の他端には結線部３２に接続される端子部３６が固定される。これらの端子部３５；３６は例えばスイッチ配線３４の２本の線が個別に接続される端子数を備えたコネクタで形成される。そして、端子部３５がスイッチ接続部３に嵌合され、端子部３６が結線部３２に嵌合されることにより、スイッチ配線３４がスイッチ装置３０と電源装置１とを接続する。
【００１３】
電源中継間配線４０は電源出力部６と中継入力部１２；１８とに接続される６本の線を備える。電源中継間配線４０の一端には電源出力部６に接続される端子部４１が固定され、電源中継間配線４０の他端には中継入力部１２；１８に接続される端子部４２が固定される。これらの端子部４１；４２は例えば電源中継間配線４０の６本の線が個別に接続される端子数を備えたコネクタで形成される。そして、端子部４１が電源出力部６に嵌合され、端子部４２が中継入力部１２；１８の何れか一方に嵌合されることにより、電源中継間配線４０が電源装置１とカード機対応用電源中継装置１１又はノーマル機対応用電源中継装置１７とを接続する。
【００１４】
パチンコ機側中継出力部１３；１９には電気的機能部品５０が各端子部１３ａ〜１３ｄ；１９ａ〜１９ｄに接続される４本の線を有する中継制御間配線４５を介して接続される。中継制御間配線４５は両端に固定された図外の端子部を備える。これらの端子部は中継制御間配線４５の４本の線が個別に接続される端子数を備えたコネクタで形成される。電気的機能部品５０は中継制御間配線４５の一方の端子部が接続される部品入力部５１を有する。部品入力部５１は直流端子部５１ａ、複数のアース端子部５１ｂ；５１ｃ、粗整流端子部５１ｄを有し、例えば各端子部５１ａ〜５１ｄに対応する端子数を備えたコネクタで形成される。そして、部品入力部５１と中継制御間配線４５の両端の端子部とパチンコ機側中継出力部１３；１９とが嵌合されることにより、中継制御間配線４５がカード機対応用電源中継装置１１又はノーマル機対応用電源中継装置１７と電気的機能部品５０とを接続する。
【００１５】
第１実施形態の場合、パチンコ機側中継出力部１３；１９に接続される電気的機能部品５０としては、遊技制御装置、特別図柄制御装置、表示灯制御装置、効果音制御装置、球払出制御装置、球発射制御装置等である。遊技制御装置はボードマイコンのようなコンピュータを内蔵し遊技全般の制御処理を実行する制御装置であって、各種検出スイッチから入力された検出信号による遊技に対する処理結果であるコマンドを自分以外の制御装置に一方向に出力する。各種検出スイッチは、ゲージ盤と呼ばれる遊技盤の入賞口に入賞した球を検出する入賞球検出スイッチ、タンクへの補給有無を検出する補給スイッチ、払出すべき賞球が賞球払出機構に準備されているか否かを検出する賞球待機スイッチ、賞球払出機構より払出された賞球数を検出する賞球計数スイッチ、上皿より下皿に流下して所定位置より上位にオーバーフローしたオーバーフロー球を検出するオーバーフロースイッチ等である。
【００１６】
特別図柄制御装置、表示灯制御装置、効果音制御装置、球払出制御装置はボードマイコンのようなコンピュータを内蔵した制御装置である。特別図柄制御装置は遊技制御装置から入力されたコマンドにより図柄をパチンコ機のセンター役物として設けられた液晶やＬＥＤ又はＣＲＴ或いはプラズマディスプレイ等の表示器に表示するための制御を行う。遊技制御装置より特別図柄制御装置へのコマンドの種類には、デモ表示、左図柄変動開始、中図柄変動開始、右図柄変動開始、左図柄変動停止（停止図柄指示）、中図柄変動停止（停止図柄指示）、右図柄変動停止（停止図柄指示）、大当り決定表示、大当り中表示、大入賞口Ｖスイッチ入賞表示、大当り終了表示、カウントエラー表示、賞球エラー表示等がある。
【００１７】
表示灯制御装置は遊技制御装置から入力されたコマンドによりパチンコ機に設けられた表示灯を点灯又は点滅するための制御を行う。遊技制御装置から表示灯制御装置へのコマンドの種類には、デモ表示、特別図柄変動中表示、リーチ（左、中図柄一致）表示、大当り決定表示、大当り中表示、大当り終了表示、エラー表示、大入賞口Ｖ入賞表示灯表示、大入賞口Ｖ入賞表示灯消灯、保留記憶表示灯１個表示、保留記憶表示灯２個表示、保留記憶表示灯３個表示、保留記憶表示灯４個表示、保留記憶表示灯全消灯、賞球表示灯表示、賞球表示灯消灯、完了表示灯表示、完了表示灯消灯等がある。
【００１８】
効果音制御装置は遊技制御装置から入力されたコマンドにより効果音をパチンコ機に設けられたスピーカで発生するための制御を行う。遊技制御装置から効果音制御装置へのコマンドの種類には、図柄始動口入賞音、特別図柄変動中音、リーチ音、特別図柄停止音、大当り決定音、大当り中音、大当り終了音、エラー音等がある。
【００１９】
球払出制御装置は、遊技制御装置から入力されたコマンドにより球払出機構の電動アクチュエータを駆動して賞球を払出すための制御と、プリペードカード対応のパチンコ機の場合における球貸出スイッチからインターフェース基板を介して入力された球貸指示により球払出機構の電動アクチュエータを駆動して貸球を払出すための制御とを行う。遊技制御装置から球払出制御装置へのコマンドの種類には、賞球停止、賞球許可、発射禁止、発射許可、賞球指示、賞球払出数等がある。球発射制御装置は遊技制御装置から球払出制御装置を介して入力された発射許可が入力された状態において遊技者が球発射機構中のハンドルを操作することにより球発射機構中の電動アクチュエータをハンドルの操作量に応じて駆動するための制御を行う。
【００２０】
パチンコ機側中継出力部１３；１９のアース端子部１３ｃ；１９ｃと粗整流端子部１３ｄ；１９ｄとに接続される電気的機能部品５０としては、例えば、ランプ制御回路で制御されるランプや球発射制御回路等で制御される発射ソレノイドのような発射アクチュエータである。カードユニット側中継出力部１４に接続される電気的機能部品としてはカードユニット６０である。カードユニット６０はカードユニット接続装置５５を介してカードユニット側中継出力部１４に接続される。
【００２１】
図２を参照し、カード対応機であるパチンコ機の裏面側配置について説明する。パチンコ機の本体枠７０は、図外のゲージ盤と通称される遊技盤をパチンコ店の島に交換可能に取付けるための額縁状の部材であって、遊技盤を取付けるための前枠７１とパチンコ店の島に取付けられる外枠７２とが上下の枠ヒンジ７３で前方横方向に片開き可能に取付けられる。前枠７１の裏面には、島側から供給された球を貯蔵するタンク７４、本体中継基板７５、球払出機構７６、タンク７４から球払出機構７６に球を誘導する球誘導樋７７、球発射制御装置７８、球払出制御装置７９、電源装置１、スイッチ装置３０、カードユニット接続装置５５が取付けられる。遊技盤の裏面には遊技制御装置８０、表示灯制御装置８１、特別図柄制御装置８２、効果音制御装置８３、遊技盤中継基板８４が取付けられる。そして、遊技盤が本体枠７０に装着されることにより、遊技制御装置８０、表示灯制御装置８１、特別図柄制御装置８２、効果音制御装置８３が、球払出機構７６、球誘導樋７７、球発射制御装置７８、球払出制御装置７９で囲まれた形態となる。電源装置１の球発射制御装置７８で覆われていない部分にはスイッチ装置３０とカード機対応用電源中継装置１１が取付けられ、電源装置１とスイッチ装置３０とがスイッチ配線３４で接続され、電源装置１とカード機対応用電源中継装置１１とが電源中継間配線４０で接続され、カード機対応用電源中継装置１１と遊技制御装置８０とが中継制御間配線４５で接続され、カード機対応用電源中継装置１１とカードユニット接続装置５５とが中継接続配線５６で接続され、カードユニット接続装置５５とパチンコ機に隣接配置されたカードユニット６０とが接続ユニット配線６１で接続される。この状態において、電源配線２５が図１の島側電源部２８に接続され、スイッチ装置３０が人為操作でオン動作されると、直流電源が遊技制御装置８０に供給され、交流電源がカードユニット６０に供給される。又、カードユニット６０はカードユニット接続装置５５を介して球払出制御装置７９と上皿のようなパチンコ機前面側に設けられた球貸操作盤とに接続される。そして、球貸操作盤からカードユニット６０へは貸出要求信号やカード排出要求信号が送られる。カードユニット６０から球貸操作盤へは貸出可能状態を遊技者に知らせるためのＬＥＤを点灯させる信号が送られる。球払出制御装置７９からカードユニット６０へは球払出制御装置７９とカードユニット６０とが接続されているか否かの確認信号やカードユニット６０側の待機信号が有効な状態のときに貸出及び貸出完了の信号が送られる。カードユニット６０から球払出制御装置７９へはパチンコ機側の待機信号が有効な状態のときに貸出要求及び貸出完了の確認信号が送られる。
【００２２】
第１実施形態によれば、パチンコ機が電源装置１と電源中継装置１０とを有するので、パチンコ機がカード対応機の場合はパチンコ機に電源中継装置１０としてカード機対応用電源中継装置１１を取付け、パチンコ機がノーマル対応機の場合はパチンコ機に電源中継装置１０としてノーマル機対応用電源中継装置１７を取付けることにより、電源装置１がカード対応機のパチンコ機及びノーマル対応機のパチンコ機の双方で共用できる。電源装置１は回路基板に電源入力部２、スイッチ接続部３、スイッチ部４、交直変換部５及び電源出力部６等の多種多様の電気部品を備えるが、カード機対応用電源中継装置１１やノーマル機対応用電源中継装置１７は回路基板に中継入力部１２；１８、パチンコ機側中継出力部１３；１９、カードユニット側中継出力部１４、中継表示部１５；２０等の少種少量の電気部品を備えるだけである。よって、カード対応機専用の電源装置とノーマル対応機専用の電源装置とを使分ける場合に比べ、カード対応機とノーマル対応機とで電源装置１を共通化し、電源中継装置１０だけをカード機対応用電源中継装置１１とノーマル機対応用電源中継装置１７との何れかに交換する方がコスト的に有利である。
【００２３】
中継表示部１５；２０では発光ダイオード１５ａ；２０ａと発光ダイオード１５ｂ；２０ｂとを互いに極性を逆向きとし並列接続したので、中継表示部１５；２０に交流電源が流れても、発光ダイオード１５ａ；２０ａと発光ダイオード１５ｂ；２０ｂとが過電圧を受けることなく適切に発光表示できる。
【００２４】
ノーマル機対応用電源中継装置１７が配線されない出力部を持たない形態であるので、ノーマル機対応用電源中継装置１７がパチンコ機に取付けられた場合において配線されない出力部が悪用されることはない。
【００２５】
図２に示すように、電源装置１の近くにカード機対応用電源中継装置１１を設ければ、電源中継間配線４０が短くなり、ノイズを拾いにくい。この場合、カード機対応用電源中継装置１１をノーマル機対応用電源中継装置１７に代えても同様の効果がある。
【００２６】
図２において、カード機対応用電源中継装置１１を電源装置１に搭載せずに電源装置１の周囲で前枠７１に取付けても、電源中継間配線４０が短くなる。この場合、カード機対応用電源中継装置１１をノーマル機対応用電源中継装置１７に代えても同様の効果がある。
【００２７】
図３は本発明の第２実施形態を示す。第２実施の形態は、第１種パチンコ機と第２種パチンコ機とにおける電源装置１の共用化を示す。第１種パチンコ機は、図３のａ図に示すように、制御装置として、遊技制御装置１０１、球払出制御装置１０２、特別図柄制御装置１０３、表示灯制御装置１０４、効果音制御装置１０５、球発射制御装置１０６を有する。第２種パチンコ機は、図３のｂ図に示すように、制御装置として、遊技制御装置１０１、球払出制御装置１０２、表示灯制御装置１０４、効果音制御装置１０５、球発射制御装置１０６を有する。これらの遊技制御装置１０１、球払出制御装置１０２、特別図柄制御装置１０３、表示灯制御装置１０４、効果音制御装置１０５及び球発射制御装置１０６それぞれは、前述の段落番号００１５〜００１９に記載された遊技制御装置、特別図柄制御装置、表示灯制御装置、効果音制御装置、球払出制御装置及び球発射制御装置と同じである。よって、図３のａ図に示すように、第１種パチンコ機用電源中継装置１０７は、遊技制御装置１０１、球払出制御装置１０２、特別図柄制御装置１０３、表示灯制御装置１０４、効果音制御装置１０５それぞれを個別に接続し得る５個のパチンコ機側中継出力部１０７ａ〜１０７ｅを備える。図３のｂ図に示すように、第２種パチンコ機用電源中継装置１０８は、遊技制御装置１０１、球払出制御装置１０２、表示灯制御装置１０４、効果音制御装置１０５それぞれを個別に接続し得る４個のパチンコ機側中継出力部１０８ａ〜１０８ｄを備える。要するに、図３のａ図のように特別図柄制御装置１０３を使用する機種と、図３のｂ図のように特別図柄制御装置１０３を使用しない機種とであっても、第１種パチンコ機用電源中継装置１０７と第２種パチンコ機用電源中継装置１０８とを使分けることにより、電源装置１を共用できる。
【００２８】
図４は本発明の第３実施形態を示す。第３実施の形態は、第１種パチンコ機であっても供給電圧が異なる場合での電源装置１の共用化を示す。図４のa図では、遊技制御装置１０１と球払出制御装置１０２と表示灯制御装置１０４及び球発射制御装置１０６がＤＣ２４ボルト（ＤＣ２４Ｖ）とＤＣ１２ボルト（ＤＣ１２Ｖ）及びＤＣ５ボルト（ＤＣ５Ｖ）を使用し、特別図柄制御装置１０３及び効果音制御装置１０５がＤＣ１２ボルト及びＤＣ５ボルトを使用する。図４のｂ図では、遊技制御装置１０１と球払出制御装置１０２及び球発射制御装置１０６がＤＣ２４ボルト（ＤＣ２４Ｖ）とＤＣ１２ボルト（ＤＣ１２Ｖ）及びＤＣ５ボルト（ＤＣ５Ｖ）を使用し、特別図柄制御装置１０３と表示灯制御装置１０４及び効果音制御装置１０５がＤＣ１２ボルト及びＤＣ５ボルトを使用する。例えば、図４のａ図では表示灯制御装置１０４で制御される表示灯としてＬＥＤとＤＣ２４ボルト用フィラメント球とを使用し、図４のｂ図では表示灯制御装置１０４で制御される表示灯をＬＥＤに統一、又は、ＬＥＤとＤＣ１２ボルト用フィラメント球とを混合、又は、ＤＣ１２ボルト用フィラメント球に統一した場合である。
【００２９】
図５は本発明の第４実施形態を示す。第４実施の形態は、図５のａ図に示す特別図柄装置を使用するがモータ制御装置を使用しないパチンコ機と、図５のｂ図に示す特別図柄装置を使用しないがモータ制御装置を使用するパチンコ機とにおける電源装置１の共用化を示す。図５のａ図の電源中継装置１１１では、中継入力部１１１ａ周りの回路基板表面に「電源装置へ」なる接続個所表示部１１１ｂをシルク印刷により表示し、遊技制御装置用パチンコ機側中継出力部１１１ｃ周りの回路基板表面に「遊技制御装置へ」なる接続個所表示部１１１ｄをシルク印刷により表示し、払出制御装置用パチンコ機側中継出力部１１１ｅ周りの回路基板表面に「払出制御装置へ」なる接続個所表示部１１１ｆをシルク印刷により表示し、特別図柄制御装置用パチンコ機側中継出力部１１１ｇ周りの回路基板表面に「特別図柄制御装置へ」なる接続個所表示部１１１ｈをシルク印刷により表示し、表示灯制御装置用パチンコ機側中継出力部１１１ｉ周りの回路基板表面に「表示灯制御装置へ」なる接続個所表示部１１１ｊをシルク印刷により表示し、効果音制御装置用パチンコ機側中継出力部１１１ｋ周りの回路基板表面に「効果音制御装置へ」なる接続個所表示部１１１ｍをシルク印刷により表示した、形態である。図５のｂ図の電源中継装置１１２では、前記「特別図柄制御基板へ」なる接続個所表示部１１１ｈに代えて、モータ制御装置用パチンコ機側中継出力部１１１ｎ周りの回路基板表面に「モータ制御装置へ」なる接続個所表示部１１１ｐをシルク印刷により表示した、形態である。
【００３０】
要するに、特別図柄表示器又はモータに同一電圧の直流電源を使用するが、誤配線防止上、中継基板に接続個所を表示するような場合であっても、図５のａ図の電源中継装置１１１と図５のｂ図の電源中継装置１１２とを使分けることにより、電源装置１を共用化できる。
【００３１】
第３実施形態では各接続個所表示部１１１ｂ；１１１ｄ；１１１ｆ；１１１ｈ；１１１ｊ；１１１ｍ；１１１ｐを文字で表示したが、図柄又は記号等のコードにより表示しても良い。
【００３２】
第２〜第４実施形態では電源中継装置１０７；１１１；１１２が電源装置１を介して図２の本体枠７０に取付けられても良い。
【００３３】
各実施形態において、電源中継装置１１；１７；１０７；１１１；１１２が電源装置１を介することなく図２の本体枠７０に取付けられても良い。
【００３４】
各実施形態において、電源中継装置１１；１７；１０７；１１１；１１２を遊技盤に配置すれば、遊技盤の入替えの際、古い遊技盤に代えて新しい遊技盤を本体枠７０に組付けるだけで、本体枠７０はそのまま使用できる。
【図面の簡単な説明】
【００３５】
【図１】本発明の第１実施形態を示す摸式図。
【図２】同第１実施形態のパチンコ機の裏面図。
【図３】本発明の第２実施形態を示す摸式図。
【図４】本発明の第３実施形態を示す摸式図。
【図５】本発明の第４実施形態を示す摸式図。
【符号の説明】
【００３６】
１    電源装置
１０  電源中継装置
１１  カード機対応用電源中継装置
１７  ノーマル機対応用電源中継装置
５０  電気的機能部品
６０  カードユニット
７０  本体枠
【図１】
2006006971.tif 000003
【図２】
2006006971.tif 000004
【図３】
2006006971.tif 000005
【図４】
2006006971.tif 000006
【図５】
2006006971.tif 000007